(57)【要約】【課題】  頭巾状の頭部保護キャップにおいて、風雨などから顔面を保護する風防部材を装着可能にし、しかも、該風防部材を外力から頭部を保護するために利用可能にする。【解決手段】  頭部を物理的障害因子から保護する保護キャップ１であって、顔面部２を除いた頭部３を覆う外套部材６と、外套部材６の内側において顔面部２を除いた頭部３を覆う柔軟材料からなる内面部材８と、外套部材６と内面部材８との間に挿入され、顔面部２から頭頂部３ａまでを覆う第１の位置Ｘと、頭頂部３ａから後頭部３ｂまでを覆う第２の位置Ｙとの間において移動可能にした透明な合成樹脂からなる風防部材７とを備える。【選択図】        図３
0003114571.tif 000002
【実用新案登録請求の範囲】
【請求項１】
頭部を物理的障害因子から保護する保護キャップにおいて、
顔面部を除いた頭部を覆う外套部材と、
該外套部材の内側において該顔面部を除いた頭部を覆う柔軟材料からなる内面部材と、
該外套部材と該内面部材との間に挿入され、該顔面部から頭頂部までを覆う第１の位置と、該頭頂部から後頭部までを覆う第２の位置との間において移動可能にした透明な合成樹脂からなる風防部材と、
を備えたことを特徴とする頭部保護キャップ。
【請求項２】
上記外套部材は、少なくともその外表面が柔軟材料からなる透湿防水性生地で構成されている、
ことを特徴とする請求項１に記載の頭部保護キャップ。
【請求項３】
上記風防部材が、硬質材料または可撓性を有する硬質材料により、頭部曲面に沿い、前後縁側に比して側縁側が長い略部分球面状に形成され、かつ、該風防部材を上記第１の位置と第２の位置との間で移動させるための操作部材が設けられている、
ことを特徴とする請求項１または２に記載の頭部保護キャップ。
【請求項４】
上記外套部材の内側であって上記風防部材の両側縁の隣接部には、該風防部材の該外套部材内における移動域を区画する区画部材が設けられている、
ことを特徴とする請求項１ないし３のいずれかに記載の頭部保護キャップ。
【請求項５】
上記操作部材が紐からなり、該紐が、上記風防部材の後部の左右両端から後方に延伸され、外部に導出されている、
ことを特徴とする請求項３または４に記載の頭部保護キャップ。
【請求項６】
上記紐の上記後方への延伸部分が、上記外套部材における後頭部の下部を貫通して外方に導かれ、
かつ、上記紐の長さを、少なくとも上記風防部材を第１の位置へ移動させた状態においてもその先端が外套部材から外方に導出されている長さとした、
ことを特徴とする請求項５に記載の頭部保護キャップ。
【請求項７】
上記紐に、上記風防部材の第１の位置への移動状態において外套部材から外部に導出されている部分にストッパが設けられ、
上記紐の外套部材を貫通する部分に該ストッパを停止させる鳩目が設けられ、
該鳩目を含む上記外套部材の表面に、上記紐を収納するポケット部が形成されている、
ことを特徴とする請求項６に記載の頭部保護キャップ。
【請求項８】
上記内面部材は、柔軟材料からなる生地で構成された第１の内面部材と、さらにその内側に設けられ柔軟材料からなる吸湿性生地で構成された第２の内面部材とを備え、第２の内面部材が、第１の内面部材に対して着脱自在になっている、
ことを特徴とする請求項１ないし７のいずれかに記載の頭部保護キャップ。
【考案の詳細な説明】
【技術分野】
【０００１】
本考案は、頭部を保護する頭部保護キャップに関し、より詳しくは、地震、台風、火災等の災害現場での作業、農作業、林野作業、漁労作業、船舶甲板作業、鉱山作業等の屋外作業、工場での屋内・屋外作業、ローラースケート、スケートボード、登山、スキー他のスポーツ、自転車や自動２輪車の運転等で、危険が伴ったり、耐寒性を確保したい場合などに有効に使用できるようにした、顔面部を覆う風防部材を出し入れできる頭部保護キャップに関するものである。
【背景技術】
【０００２】
従来、ヘルメットにおいては、顔面部を覆う風防部材をヘルメット本体内に出し入れできるようにしたもの（特許文献１）、該風防部材を、ヘルメット本体の内面の前部に設けられた収納空間において顔面部に対して昇降自在にしたもの（特許文献２）、あるいは、該風防部材を、ヘルメット殻体の外面に風防部材収納空間を介して設けられた該殻体のカバー内に、ガイド部でガイドしながら出入り自在にしたもの（特許文献３）が知られている。
これら風防部材はいずれも堅牢なヘルメットに設けられたものであり、風防部材を取り付けることは構造上容易なものである。
【０００３】
しかしながら、ヘルメットほどの防護が期待されていない防災頭巾や耐寒性を確保するための頭巾などのように、主として布材で形成されている頭部保護キャップにおいては、基本的に風防部材を容易に取り付けることができる構造を具備していない。そのため、風雨などからの顔面の保護はできず、上記風防部材の装着を可能にすることにより一層の用途の拡大が期待できる。
また、風防部材が取り付けられていないヘルメットを着用する作業現場でも、風防部材により視界を確保したい場合がある。
そのため、上記各種頭巾等の頭部保護キャップばかりでなく、上記風防部材を備えないヘルメットにおいても、簡易に風防部材を装着可能にすることが望まれる。
【０００４】
更に、一般的にヘルメットに装着されている風防部材で、顔面部の前に下ろして使用し、不使用時に頭頂部の待避位置に移動可能にしたものでは、当該待避位置に移動させた風防部材が頭上に突出して作業や運動の邪魔になることが多く、上記特許文献１〜３のものでは、風防部材の収納部を設けてそれらの問題を解決しているが、風防自体が小型になって顔面を全体的にカバーすることが困難なものである。
また、従来から知られているヘルメットの風防部材は、通常、風雨などからの顔面の保護のみを目的として設置され、他の目的に供することは考慮されていないが、特に、本来の風防部材として使用しない待避位置への収納時に、それを有効に利用することが望まれる。
【０００５】
【特許文献１】登録実用新案第３００４３７７号公報
【特許文献２】特開２０００−２７０２１号公報
【特許文献３】特開２００３−８２５１８号公報
【考案の開示】
【考案が解決しようとする課題】
【０００６】
如上に鑑み、本考案の技術的課題は、主として布材で形成されているような頭巾状の頭部保護キャップにおいて、風雨などからの顔面への保護を可能にする風防部材を装着することにある。
本考案の他の技術的課題は、頭部表面に沿う曲面形状の風防部材を用いて、該風防部材の使用時にも頭部の一部を外力から保護し、特に、該風防部材の不使用時にそれを待避位置に移動させたときには、頭頂部から後頭部までを覆ってその部分を外力から保護できるようにし、それによって風防部材を他の目的にも有効に活用できるようにした頭部保護キャップを提供することにある。
【課題を解決するための手段】
【０００７】
上記課題を解決するための本考案の頭部保護キャップは、頭部を物理的障害因子から保護する保護キャップにおいて、顔面部を除いた頭部を覆う外套部材と、該外套部材の内側において該顔面部を除いた頭部を覆う柔軟材料からなる内面部材と、該外套部材と該内面部材との間に挿入され、該顔面部から頭頂部までを覆う第１の位置と、該頭頂部から後頭部までを覆う第２の位置との間において移動可能にした透明な合成樹脂からなる風防部材とを備えたことを特徴とするものである。
上記外套部材は、少なくともその外表面が柔軟材料からなる透湿防水性生地で構成されていることが望まれる。  
【０００８】
本考案の好ましい実施の形態においては、上記風防部材が、硬質材料または可撓性を有する硬質可撓性により、頭部曲面に沿い、前後縁側に比して側縁側が長い略部分球面状に形成され、かつ、該風防部材を上記第１の位置と第２の位置との間で移動させるための操作部材が設けられる。上記外套部材の内側であって上記風防部材の両側縁の隣接部に、該風防部材の該外套部材内における移動域を区画する区画部材を設けるのが適切である。
【０００９】
本考案の他の好ましい実施の形態においては、上記操作部材が紐からなり、該紐が、上記風防部材の後部の左右両端から後方に延伸され、外部に導出される。上記紐の上記後方への延伸部分は、上記外套部材における後頭部の下部を貫通して外方に導かれ、かつ、上記紐の長さが、少なくとも上記風防部材を第１の位置へ移動させた状態においてもその先端が外套部材から外方に導出されている長さに形成される。
さらに、望ましくは、上記紐に、上記風防部材の第１の位置への移動状態において外套部材から外部に導出されている部分にストッパが設けられ、上記紐の外套部材を貫通する部分に該ストッパを停止させる鳩目が設けられ、該鳩目を含む上記外套部材の表面に、上記紐を収納するポケット部が形成される。
【００１０】
本考案の他の好ましい実施の形態においては、上記内面部材が、柔軟材料からなる生地で構成された第１の内面部材と、さらにその内側に設けられ柔軟材料からなる吸湿性生地で構成された第２の内面部材とを備え、第２の内面部材が、第１の内面部材に対して着脱自在に形成される。
【考案の効果】
【００１１】
上記構成を有する本考案によれば、主として布材で形成されているような頭巾状の頭部保護キャップにおいて、風雨などからの顔面への保護を可能にする風防部材を装着することができ、また、頭部表面に沿う曲面形状の風防部材を用いて、特に、該風防部材の不使用時にそれを待避位置に移動させたとき、頭頂部から後頭部までを覆ってその部分を外力から保護できるようにし、風防部材の不使用時にもそれを有効に活用できるようにした頭部保護キャップを得ることができる。
【考案を実施するための最良の形態】
【００１２】
以下に、本考案を図面に示す実施例に基づいて詳細に説明する。
図１ないし図３に示す本考案の実施例に係る頭部保護キャップ１は、直接頭部に受ける物理的障害因子、例えば、衝撃、熱、風雨等から頭部を保護するもので、地震、台風、火災等の災害現場での作業、農作業、林野作業、漁労作業、船舶甲板作業、鉱山作業等の屋外作業、工場での屋内・屋外作業、ローラースケート、スケートボード、登山、スキー他のスポーツ、自転車や自動２輪車の運転等で、危険が伴ったり、耐寒性を確保したい場合などに有効に使用できるようにしたものである。
【００１３】
この頭部保護キャップ１は、図１に示すように、顔面部２を除いた頭部３を覆う外套部材６を備えている。該外套部材６は、頭部保護キャップの外形形状を形成するもので、鍔部６１を有し、下部６２は、肩から胸および背の上部を覆うように形成され、正面では二つ割になっていて、前身頃を重ね合わせて面状ファスナーで固定できるようにしているが、基本的に頭部３を覆うものであればよく、これらは必ずしも必要でない。
【００１４】
上記外套部材６は、図３に分解して示すように、顔面部２を除いた頭部を覆う第１の外套部材６Ａと、この第１の外套部材６Ａの内側に密着して設けられる帽子状の第２の外套部材６Ｂとから形成されている。
第１の外套部材６Ａは、外表面が柔軟材料からなる透湿防水性生地で構成され、頭部への通気性を確保するとともに防水性を有している。頭部３の前面と背面の一部に、それぞれ光り反射テープ６３が貼着されているが、このテープ６３は必要に応じて設けるものである。
第２の外套部材６Ｂは、頭部３を覆うように形成され、厚さ３〜４ｍｍの柔軟材料、例えばフェルト等の通気性材料により形成されて、外部からの衝撃を吸収するようにしている。なお、フェルトに限らず、その他の類似の生地から形成しても良い。
【００１５】
上記外套部材６とその内側に設ける内面部材８との間に移動自在に挿入される風防部材７は、顔面部２を、強風、雨、雪等から保護するとともに視界を確保するために該顔面部２を覆うもので、透明な合成樹脂の硬質材料またはある程度の可撓性を有する硬質材料により、頭部曲面に沿い、前後縁側に比して側縁側が長い略部分球面状に形成され、図１に示す顔面部２を覆う状態から上部後側に移動可能であって、不使用時には外套部材６の内側に挿入できるようにしている。
【００１６】
複数の部材を重ね合わせて形成される上記頭部保護キャップ１は、図３に示すように、外套部材６の内側に、顔面部２を除いた頭部３を覆う柔軟材料からなる内面部材８が設けられ、これらの外套部材６と内面部材８との間には、左右一対の区画部材９で区画された風防部材７を移動自在に収容するための区画域１０が形成され、上記風防部材７が、この外套部材６と内面部材８との間の上記区画域１０に移動可能に挿入されている。
すなわち、図５に示すように、内面部材８上には左右の対称位置に一対の区画部材９が配設され、該区画部材９は風防部材７と同じかそれよりも若干大きい厚さを有するフェルト等により、部分球面状に形成され、それらによって、内面部材８の頂部と外套部材６との間に、風防部材７を収容する上記区画域１０が形成されている。
【００１７】
上記風防部材７は、図４に模式的に示すように、顔面部２から頭頂部３ａまでを覆うことにより風防として利用される第１の位置Ｘと、頭頂部３ａから後頭部３ｂまでを覆う第２の第２の位置（収納位置）Ｙとの間において移動可能にしたものである。そのため、第２の位置Ｙにおいては、外套部材６が柔軟材料によって形成されていても、頭頂部３ａから後頭部３ｂにかけた頭部３を外部からの衝撃等から保護することができる。
上記風防部材７は、望ましくは、厚さ３〜４ｍｍ程度で、ある程度の可撓性を有する塩化ビニール等の透明な合成樹脂材料により形成されるが、塩化ビニールに限らず、各種合成樹脂、例えば、アクリルポリカーボネイト、ポリカーボネイトに表面硬化加工および曇り止め加工をしたぺロイド−ＡＦレンズ、アセテート等を用いることができる。
【００１８】
なお、上記風防部材７は、図４に示すように、顔面部２から頭頂部３ａまでを覆う第１の位置Ｘと、頭頂部３ａから後頭部３ｂまでを覆う第２の第２の位置Ｙとにある場合に、その湾曲形状がほぼ同一であれば、その風防部材自体に可撓性を付与する必要はないが、上記両位置にある場合の湾曲形状にある程度の曲率の差異がある場合には、その差異の範囲内で湾曲させる必要がある。
また、上記風防部材７は前後左右がほぼ対称形状になるので、例えば、前半部分が細かいきずなどにより透明性が低下したときには、前後方向の向きを変えて使用することにより、あるいは、表裏面を反転させることにより透明性を回復させることができる。
上記風防部材７の材料に可撓性を持たせるのは、このような事態に対応させたり、耐衝撃性を付与するためである。
【００１９】
図６および図７は、風防部材７と、それを上記第１の位置Ｘと第２の位置Ｙとの間で移動させるために該風防部材７に設けられた操作部材２０とを示している。
この実施例における上記操作部材２０は、一本の紐２１からなり、図１および図６に示すように、風防部材７の前縁の両端で風防部材７に固定するとともに、風防部材７の両側縁に沿って後縁まで適宜位置で固定することにより、該風防部材７に保持させ、該風防部材７の後部の左右両端から後方に延伸されている。
【００２０】
上記紐２１の風防部材７への保持は、図７に示すような断面コ字状で、その開口部に風防部材７の側縁を挟持する突起が設けられた保持具２２を用いるのが望ましく、その開口部に上記紐２１を通した状態で該保持具２２を風防部材７の側縁の適宜位置にに圧入することにより、容易に該紐２１を風防部材７に固定することができる。
このようにして風防部材７に保持された紐２１は、図２に示すように、風防部材７の後縁から後方へ延伸する部分が、外套部材６における後頭部３ｂの下部の鳩目１０ｂを貫通して外方に導かれている。この紐２１の延伸部分の長さは、風防部材７を第１の位置Ｘへ移動させた状態で先端が外套部材６の鳩目１０ｂから外方へ十分導出されている長さであり、この状態で紐２１が外套部材６から外部に導通されている部分に、結び瘤からなるストッパ１０ａが設けられている。このストッパ１０ａは、結び瘤に限るものではない。
鳩目１０ｂを含む外套部材６の表面には、紐２１の外部への導出部分を収納するポケット部１０ｃが設けられ、蓋１０ｄでその開口を閉じられるようにしている。
【００２１】
上記内面部材８は、頭部３に直接被さる部材であり、頭部３に良くなじむとともに違和感を与えることのないように柔軟性が求められるとともに、耐衝撃性が求められ、また、頭部３が蒸れないように吸湿性が求められとともに、汗・脂質による汚れに対応できる構造が求められる。
そこで、上記内面部材８は、図３に示すように、第１の内面部材８Ａと、さらにその内側に設けられる第２の内面部材８Ｂとにより形成している。第１の内面部材８Ａは、厚さ３〜４ｍｍの柔軟材料からなる生地、例えば、フェルトで外套部材６の内側に沿うように形成され、第２の内面部材８Ｂは、柔軟材料からなる吸湿性生地、例えば、木綿により半球形状の簡易なキャップ状に形成される。そして、第２の内面部材８Ｂは、洗濯が可能なように、第１の内面部材８Ａに対して着脱自在になっている。
【００２２】
このように構成された頭部保護キャップ１は、風防部材７により顔面部２を保護したい場合には、図１に示す風防部材７の前縁の両端に固定された紐２１の部分を把手として引っ張ることにより、図４に示す第１の位置Ｘまで外套部材６から引き出すことができ、顔面部２の全体を覆うことができる。この状態での風防部材７の姿勢を安定化させるため、風防部材７の前縁の両端に固定された紐２１の部分を外套部材６の顔面部２の下部近傍に固定できるようにすることが望まれる。この位置まで上記風防部材７が引き出されると、紐２１のストッパ１０ａが鳩目１０ｂで止まり、それ以上紐が移動することはない。
【００２３】
顔面部２の保護が不要である場合には、図２に示す外套部材６の背面において外部に導出された紐２１を引っ張ることにより、風防部材７は引き上げられて図４に示す第２の位置Ｙに達するまで外套部材６の内側に挿入される。これにより背面で外部に長く垂れ下がった紐２１は、軽く縛って纏められ、ポケット１０ｃに納められる。
【００２４】
上述のように構成された頭部保護キャップ１は、荒天時の屋外環境での作業や、劣悪な作業環境などで、顔面部２を保護したい場合には、風防部材７を引き出して顔面部２を覆うことにより、可及的に視界の確保および顔面の保護を行い、同時に、頭頂部３ａまで風防部材７で覆われるので、頭頂部への衝撃から可及的に頭部を保護することができる。
顔面部２の保護が不要である場合には、風防部材７が外套部材６の内側に挿入され、頭頂部３ａから後頭部までを風防部材７で覆って、その部分への衝撃が緩和される。
この結果、上記頭部保護キャップ１は、従来の防災頭巾様のそれに比較して一層厳しい作業現場や各種環境での有効利用が可能になる。
【００２５】
以上に詳述した実施例は、本考案に係る頭部保護キャップの好ましい一例を示すに過ぎず、本考案は、実用新案登録請求の範囲を逸脱しない範囲において、種々の態様で実施することができる。
例えば、上述の実施例においては、外套部材を布などの柔軟材料で形成したが、この外套部材としてヘルメット状の硬質材を用いることもできる。
また、上記風防部材７を第１の位置と第２の位置との間で移動させるに際し、必要に応じてその移動をガイドするガイドレールを設けることができ、更に、上記風防部材７の操作部材２０としては、上述した紐２１に限らず、風防部材７の一部を操作部材として利用可能にするとか、他の適宜操作部材を付設することができる。
なお、風防部材７の内面には、鼻からの息が眼前で結露しないように、息を風防部材内に分散させ、あるいは、他の結露を防止するための手段を、必要に応じて付設可能にすることが望まれる。
【図面の簡単な説明】
【００２６】
【図１】本考案に係る頭部保護キャップの実施例の使用状態での正面図である。
【図２】同背面図である。
【図３】上記頭部保護キャップを構成する部材の分解図である。
【図４】上記頭部保護キャップにおける風防部材の使用位置を模式的に示す説明図である。
【図５】上記頭部保護キャップにおける内面部材と区画部材との関係を分解して示す斜視図である。
【図６】風防部材と操作部材との関係を示す分解斜視図である。
【図７】操作部材を風防部材に固定するための保持具の斜視図である。
【符号の説明】
【００２７】
１      頭部保護キャップ
２      顔面部
３      頭部
３ａ    頭頂部
３ｂ    後頭部
６      外套部材
７      風防部材
８      内面部材
８Ａ    第１の内面部材
８Ｂ    第２の内面部材
９      区画部材  
２０    操作部材
Ｘ      第１の位置
Ｙ      第２の位置
【図１】
0003114571.tif 000003
【図２】
0003114571.tif 000004
【図３】
0003114571.tif 000005
【図４】
0003114571.tif 000006
【図５】
0003114571.tif 000007
【図６】
0003114571.tif 000008
【図７】
0003114571.tif 000009